【手続補正書】
【提出日】平成18年3月10日(2006.3.10)
【手続補正１】
【補正対象書類名】明細書
【補正対象項目名】特許請求の範囲
【補正方法】変更
【補正の内容】
【特許請求の範囲】
【請求項１】  複数の端子と、
該複数の端子に接触可能な接片と、
該接片が取り付けられ、第１の位置と第２の位置との間で移動して前記複数の端子のうち前記接片が接触する少なくとも１つの端子を切り換える接片保持部材と、
該接片保持部材を前記第１の位置の方向に付勢する第１の付勢部材と、
前記接片保持部材を前記第１の位置に移動させる第３の位置および前記第２の位置に移動させる第４の位置との間で回転操作可能な回転操作部材と、
前記回転操作部材を前記第３の位置の方向に付勢する第２の付勢部材とを有することを特徴とする電子機器。
【請求項２】  前記第２の付勢部材は、前記回転操作部材の前記第３の位置から前記第４の位置の方向への回転量の増加に応じて、前記回転操作部材に与える付勢力が増加した後、減少するように形成されていることを特徴とする請求項１に記載の電子機器。
【請求項３】  前記第２の付勢部材は、前記回転操作部材が前記第３の位置に対してよりも前記第４の位置に対して近い位置にあるときに、該回転操作部材を前記第４の位置の方向に付勢することを特徴とする請求項１又は２に記載の電子機器。
【請求項４】  前記接片保持部材は、前記第１の位置と該第１の位置を挟んだ両側に設けられた前記第２の位置に移動が可能であり、前記回転操作部材は、前記接片保持部材を前記両側の第２の位置に移動させるよう前記第３の位置を挟んだ両側の前記第４の位置に移動が可能であり、
前記接片保持部材を前記第１の付勢部材とは反対側から前記第１の位置に方向に付勢する第３の付勢部材を有し、
前記第２の付勢部材は、前記回転操作部材を一方の前記第４の位置側から前記第３の位置の方向に付勢する第１の付勢部と、他方の前記第４の位置側から前記第３の位置の方向に付勢する第２の付勢部とを有することを特徴とする請求項１から３のいずれか１つに記載の電子機器。
【請求項５】  被写体像を撮影可能なカメラであって、
前記回転操作部材が、撮影光学系の焦点距離を変更するために操作される部材であり、前記押圧操作部材が撮影動作を開始させるために操作される部材であることを特徴とする請求項１から４のいずれか１つに記載の電子機器。
【手続補正２】
【補正対象書類名】明細書
【補正対象項目名】００２６
【補正方法】変更
【補正の内容】
【００２６】
【課題を解決するための手段】
本発明の電子機器は、複数の端子と、該複数の端子に接触可能な接片と、該接片が取り付けられ、第１の位置と第２の位置との間で移動して複数の端子のうち接片が接触する少なくとも１つの端子を切り換える接片保持部材と、該接片保持部材を第１の位置の方向に付勢する第１の付勢部材と、接片保持部材を第１の位置に移動させる第３の位置および第２の位置に移動させる第４の位置との間で回転操作可能な回転操作部材と、この回転操作部材を第３の位置の方向に付勢する第２の付勢部材とを有することを特徴とする。
【手続補正３】
【補正対象書類名】明細書
【補正対象項目名】００２９
【補正方法】変更
【補正の内容】
【００２９】
４は撮像レンズ３の撮像画角（撮影光学系の焦点距離）を変更するために操作されるズームレバー（回転操作部材）であり、円筒状に形成されており、カメラ本体１に組み込まれる。このズームレバー４は、軸を中心に正逆方向に所定量、回転可能となっている。
【手続補正４】
【補正対象書類名】明細書
【補正対象項目名】００４３
【補正方法】変更
【補正の内容】
【００４３】
プレート（第２の付勢部材）７に一体的に形成されたアーム（第１および第２の付勢部）７ｂ、７ｃはバネ性を有しており、グリップカバー６の裏面に形成されたリブ６ｄ、６ｅの先端側に接触する。図３に示す状態では、アーム７ｂ、７ｃのリブ６ｄ、６ｅに対する接触圧のバランスが均等に保たれるようになっており、ズームレバー４は所定の位置に保持されて、安定した状態となっている。
【手続補正５】
【補正対象書類名】明細書
【補正対象項目名】００４４
【補正方法】変更
【補正の内容】
【００４４】
アーム７ｂ、７ｃの基端部には、所定の幅を有する係合部７ａが形成されており、ズームレバー４の操作に応じてツマミ部材（接片保持部材）１３ａに当接するようになっている。ここで、係合部７ａの幅は、ツマミ部材１３ａの幅よりも適量広めに設定してあり、遊びがあるため、グリップカバー６をズームスイッチ１３の上に被せる際に、ツマミ部材１３ａと係合部７ａとの位置を合わせ易い。
【手続補正６】
【補正対象書類名】明細書
【補正対象項目名】００４７
【補正方法】変更
【補正の内容】
【００４７】
１３ｆは摺動接片であり、バネ性のある金属製の薄板で形成されており、樹脂材で形成されたツマミ部材１３ａに取り付けられている。この摺動接片１３ｆは、ツマミ部材１３ａが図４中左右方向（第１の位置と該第１の位置を挟んで両側に設けられた第２の位置）へ移動することに応じて、ツマミ部材１３ａとともに移動して端子１３ｃ〜１３ｅの上面を摺動する。
【手続補正７】
【補正対象書類名】明細書
【補正対象項目名】００６０
【補正方法】変更
【補正の内容】
【００６０】
まず、ズームレバー４が初期位置（第３の位置）にあるときには、図３に示すようにアーム７ｂ、７ｃはバネ性をもってグリップカバー６のリブ６ｄ、６ｅに接触し、両方の接触圧のバランスが同等に保たれ、ズームレバー４は安定した状態となっている。これにより、ズームレバー４をガタなく初期位置に保持させることができる。
【手続補正８】
【補正対象書類名】明細書
【補正対象項目名】００６６
【補正方法】変更
【補正の内容】
【００６６】
ここで、操作者がズームレバー４を初期位置から広角位置（第４の位置）へ回転（図３中の時計方向に回転）させると、図５に示すようにプレート７がズームレバー４と共に回転するため、係合部７ａも回転して、ツマミ部材１３ａを第１ツマミバネ１３ｇの付勢力に抗して静止位置から図６に示す広角位置へ移動させる。
【手続補正９】
【補正対象書類名】明細書
【補正対象項目名】００７３
【補正方法】変更
【補正の内容】
【００７３】
アーム７ｃの先端側は、この長手方向の断面において略円弧状に形成されており、ズームレバー４を初期位置から回転させ始めた段階では、図７に示すようにズームレバー４の回転量当たりのアーム７ｂの変形量（つまりは付勢力）が大きくなる。このとき、ズームレバー４は、アーム７ｂの変形によって初期位置に戻る方向の力を受ける。
【手続補正１０】
【補正対象書類名】明細書
【補正対象項目名】００７４
【補正方法】変更
【補正の内容】
【００７４】
ズームレバー４の広角側への回転により、アーム７ｃのうち円弧形状部の頂点がリブ６ｅの先端に当接する（図７に示す曲線の頂点に相当する）と、これ以降はアーム７ｃの変形量が小さくなる。このとき、ズームレバー４を初期位置に戻す力は、図７に示すように減少する。
【手続補正１１】
【補正対象書類名】明細書
【補正対象項目名】００７５
【補正方法】変更
【補正の内容】
【００７５】
そして、ズームレバー４が広角位置の近傍まで回転すると、アーム７ｃの先端がリブ６ｅの先端に当接することで、この位置に保持され、アーム７ｃの基端部側において、ズームレバー４を広角側に回転させる力が生じる。
【手続補正１２】
【補正対象書類名】明細書
【補正対象項目名】００７９
【補正方法】変更
【補正の内容】
【００７９】
しかし、本実施形態では、ツマミ部材１３ａが静止位置の近傍に達すると、アーム７ｃがリブ６ｅに押されて生じるクリック力（復元力）が増大するようになっているため、ズームレバー４がアーム７ｃの復元力によって初期位置まで戻るとともに、ツマミ部材１３ａが静止位置まで戻るようになっている。
【手続補正１３】
【補正対象書類名】明細書
【補正対象項目名】００９２
【補正方法】変更
【補正の内容】
【００９２】
回転操作部材を第４の位置に保持し続けるためには、第１の付勢部材の付勢力に抗して回転操作部材を操作し続けなければならないが、上記発明４の構成とすることで、回転操作部材を第４の位置に保持し続ける力が少なくて済み、回転操作部材の操作性を向上させることができる。